(57)【特許請求の範囲】
【請求項１】
乗り物の乗り物ナビゲーションシステムのディスプレイにおけるモバイル機器からの情報を示す方法であって、
乗り物ナビゲーションシステムによって、前記モバイル機器において操作する複数の通信可能なアプリケーションからのアプリケーションデータであって前記乗り物近傍の実在物を示すアプリケーションデータを受信することと、
前記複数の通信可能なアプリケーションが、前記モバイル機器において操作する全てのアプリケーションのフィルタリングされたサブセットであり、前記フィルタリングされたサブセットが、前記乗り物ナビゲーションシステムと通信することが可能であることに基づいており、
前記乗り物ナビゲーションシステムのディスプレイに、前記モバイル機器において操作する前記複数の通信可能なアプリケーションのリストを表示することと、
前記複数の通信可能なアプリケーションの選択された通信可能なアプリケーションの選択を示すアプリケーション選択入力を受信することと、
前記乗り物ナビゲーションシステムのディスプレイに示された地図において前記選択された通信可能なアプリケーションからの前記アプリケーションデータを示すアイコンを、前記実在物の地理的位置にしたがって前記地図に配置し表示することと、を含む方法。
【請求項２】
前記乗り物ナビゲーションシステムによって受信された前記アプリケーションデータが、前記地図の前記アイコンの表示のために前記乗り物ナビゲーションシステムによってフォーマットされた、請求項１に記載の方法。
【請求項３】
前記アイコンの選択されたアイコンを選択するユーザ入力の受信に応じて、前記アプリケーションデータと関連した情報であって前記選択されたアイコンと関連した実在物を示す情報を表示することを更に含む、請求項１に記載の方法。
【請求項４】
前記情報が会社名を含む、請求項３に記載の方法。
【請求項５】
前記乗り物ナビゲーションシステムによって受信された前記アプリケーションデータは、前記乗り物ナビゲーションシステムによって受信されたときに、前記情報が前記乗り物ナビゲーションシステムのディスプレイにおける表示のためにフォーマットされたものである、請求項３に記載の方法。
【請求項６】
前記情報と関連した第２のユーザ入力の受信に応じて、前記アプリケーションデータと関連した詳細情報であって前記選択されたアイコンと関連した前記実在物を示す詳細情報を表示することを更に含む、請求項３に記載の方法。
【請求項７】
前記詳細情報が、電話番号と実際の住所とを含む請求項６に記載の方法。
【請求項８】
前記アプリケーションデータが、少なくとも部分的に前記モバイル機器において操作する前記アプリケーションと関連したサードパーティサーバからのものである請求項１に記載の方法。
【請求項９】
乗り物ナビゲーションシステムであって、
１又は複数のプロセッサと、
前記１又は複数のプロセッサに対して通信可能に接続された乗り物ナビゲーションシステムのディスプレイと、
前記１又は複数のプロセッサに対して通信可能に接続されたユーザ入力装置と、
前記１又は複数のプロセッサに対して通信可能に接続され且つ前記１又は複数のプロセッサに対して地理的位置データを提供するように構成された衛星モジュールと、
乗り物ナビゲーションシステムのためのコンピュータが実行可能な指令を記憶するコンピュータ可読媒体と、を具備し、前記コンピュータが実行可能な指令は、前記１又は複数のプロセッサによって実行されたとき、当該乗り物ナビゲーションシステムに、
当該乗り物ナビゲーションシステムと関連した乗り物の地理的位置を表示可能な前記地理的位置データを前記衛星モジュールから受信させ、
前記乗り物の前記地理的位置近傍に対応する地図を生成し且つ表示させ、
モバイル機器において操作する複数の通信可能なアプリケーションであって前記モバイル機器において操作する全てのアプリケーションのフィルタリングされたサブセットであり前記乗り物ナビゲーションシステムと通信することが可能であることに基づいているフィルタリングされたサブセットである複数の通信可能なアプリケーションから、前記乗り物近傍の実在物を示すアプリケーションデータを受信させ、
前記乗り物ナビゲーションシステムのディスプレイにおいて前記モバイル機器において操作する前記複数の通信可能なアプリケーションのリストを表示させ、
前記リストにおいて提供された前記複数の通信可能なアプリケーションの選択された通信可能なアプリケーションの選択を表示するアプリケーション選択入力を受信させ、
前記実在物の地理的位置にしたがって前記地図において、前記選択された通信可能なアプリケーションからの前記アプリケーションデータを示すアイコンを表示させる、乗り物ナビゲーションシステム。
【請求項１０】
前記アプリケーションデータが、前記地図における前記アイコンの表示のために当該乗り物ナビゲーションシステムによってフォーマットされた、請求項９に記載の乗り物ナビゲーションシステム。
【請求項１１】
前記コンピュータが実行可能な指令が、前記アイコンの選択されたアイコンを選択するユーザ入力の受信に応じて、当該乗り物ナビゲーションシステムに、前記アプリケーションデータと関連した情報であって前記選択されたアイコンと関連した実在物を示す情報を更に表示させる、請求項９に記載の乗り物ナビゲーションシステム。
【請求項１２】
当該乗り物ナビゲーションシステムによって受信された前記アプリケーションデータは、当該乗り物ナビゲーションシステムによって受信されたときに、前記情報が前記乗り物ナビゲーションシステムのディスプレイにおける表示のためにフォーマットされたものである、請求項１１に記載の乗り物ナビゲーションシステム。
【請求項１３】
前記コンピュータが実行可能な指令は、前記ユーザ入力装置を介した前記情報と関連した第２のユーザ入力の受信に応じて、当該乗り物ナビゲーションシステムに、前記アプリケーションデータと関連した詳細情報であって前記選択されたアイコンと関連した前記実在物を示す詳細情報を更に表示させる、請求項１１に記載の乗り物ナビゲーションシステム。
【請求項１４】
前記詳細情報が電話番号及び実際の住所を含む、請求項１３に記載の乗り物ナビゲーションシステム。
【請求項１５】
前記アプリケーションデータが、少なくとも部分的に、前記モバイル機器において操作する前記アプリケーションと関連したサードパーティサーバからのものである、請求項９に記載の乗り物ナビゲーションシステム。
【請求項１６】
乗り物の乗り物ナビゲーションシステムのディスプレイにおいてモバイル機器からの情報を示す方法であって、
乗り物ナビゲーションシステムによって前記モバイル機器において操作する通信可能なアプリケーションのリストを含むファイルを受信することと、
前記通信可能なアプリケーションは、前記モバイル機器において操作する全てのアプリケーションのフィルタリングされたサブセットであり、前記フィルタリングされたサブセットは、前記乗り物ナビゲーションシステムと通信することが可能であることに基づいており、
前記乗り物ナビゲーションシステムのディスプレイに前記モバイル機器において操作する前記通信可能なアプリケーションのリストを表示することと、
前記通信可能なアプリケーションの前記リストにおいて提供された通信可能なアプリケーションの選択を受信することと、
乗り物ナビゲーションシステムによって、前記モバイル機器において操作するそれぞれの選択された通信可能なアプリケーションからアプリケーションデータを受信することであってそれぞれの選択された通信可能なアプリケーションからの前記アプリケーションデータは、前記乗り物近傍の実在物を示し、それぞれの選択された通信可能なアプリケーションからの前記アプリケーションデータは、少なくとも部分的に前記モバイル機器において操作する前記選択された通信可能なアプリケーションと関連したサードパーティサーバからのものである、アプリケーションデータを受信することと、
前記乗り物ナビゲーションシステムのディスプレイに示された地図におけるそれぞれの選択された通信可能なアプリケーションのための前記アプリケーションデータを示すアイコンを、前記アイコンと関連した前記実在物の地理的位置にしたがって前記地図に配置し表示することと、を含む方法。
【請求項１７】
前記アイコンを選択するユーザ入力の受信に応じて、前記アプリケーションデータと関連した、前記実在物を示す情報を表示することを更に含む、請求項１６に記載の方法。
【請求項１８】
前記情報と関連した第２のユーザ入力の受信に応じて、前記アプリケーションデータと関連した、前記実在物を示す詳細情報を表示することを更に含む、請求項１７に記載の方法。
【発明の詳細な説明】
【技術分野】
【０００１】
本明細書は、概して、乗り物（vehicle）ナビゲーションシステムに関し、特に、通信可能に接続されたモバイル機器上で動作するアプリケーションからアプリケーションデータを受信するように構成された乗り物ナビゲーションシステムに関する。
【背景技術】
【０００２】
乗り物ナビゲーションシステムは、乗り物内で乗り物の運転手及び／又は乗員に対して情報を提示するために用いられる。このような情報は、乗り物付近の道路の地図などの地理情報を含むことができる。交通情報などの他の情報や、インフォテイメントシステムの場合にはラジオ機能、コンパクトディスクプレーヤ機能、デジタル音楽再生機能などのオーディオ機構提示されてもよい。
【発明の概要】
【発明が解決しようとする課題】
【０００３】
スマートフォン、タブレット型コンピュータなどのモバイル機器は、特定の機能を有する複数のアプリケーションを実行することができる。機能は、ソーシャルメディア機能（例えば、ツイッター（Ｔｗｉｔｔｅｒ）（登録商標）、フェイスブック（Ｆａｃｅｂｏｏｋ）（登録商標）、など）、周囲の経済情報（例えば、オープンテーブル（ＯｐｅｎＴａｂｌｅ）（登録商標）、イエルプ（Ｙｅｌｐ！）（登録商標）など）の提示、一般的情報（天気のアプリケーション、スポーツのスコア）の提示、及び生産性の機能（ワードプロセシング、計算器、など）を含んでもよい。従って、モバイル機器は、かなりの量の有益な情報を受信し、提供することができる。
【課題を解決するための手段】
【０００４】
１つの実施形態によれば、モバイル機器からの（originating from mobile device）情報を乗り物の乗り物ナビゲーションシステムのディスプレイ上に提示する方法は、乗り物ナビゲーションシステムによって、モバイル機器上で動作するアプリケーションからアプリケーションデータを受信する工程であって、アプリケーションからのアプリケーションデータは、乗り物の近くの実在物（entity）を表現する工程を含む。方法は、アプリケーションからのアプリケーションデータを表現するアイコンを、乗り物ナビゲーションシステムのディスプレイ上に提示された地図上に表示する工程をさらに含む。アイコンは、実在物の地理的位置に従って地図上に配置される。
【０００５】
別の実施形態によれば、乗り物ナビゲーションシステムは、１又は複数のプロセッサと、１又は複数のプロセッサに通信可能に接続された乗り物ナビゲーションシステムのディスプレイと、１又は複数のプロセッサにて通信可能に接続されたユーザ入力装置と、１又は複数のプロセッサに通信可能に接続されて、１又は複数のプロセッサに対して地理的位置データを提供するように構成された衛星モジュールと、コンピュータ実行可能命令を格納するコンピュータ読み取り可能媒体とを含む。コンピュータ実行可能命令は、１又は複数のプロセッサによって実行されると、乗り物ナビゲーションシステムに衛星モジュールからの地理的位置データを受信させる。地理的位置データは、乗り物ナビゲーションシステムに関連する乗り物の地理的位置を示す。コンピュータ実行可能命令は、さらに、乗り物ナビゲーションシステムに乗り物の地理的位置の近くに対応する地図を生成させて表示させ、モバイル機器上で動作するアプリケーションからアプリケーションデータを受信させ、ここで、アプリケーションからのアプリケーションデータは、乗り物の近くの実在物を表現する。コンピュータ実行可能命令によれば、乗り物ナビゲーションシステムは、地図上のアプリケーションからのアプリケーションデータを表現するアイコンをさらに表示し、ここで、アイコンは、実在物の地理的位置に従って地図上に配置される。
【０００６】
本明細書に記載された実施形態によって提供される、これらの特徴及び追加的な特徴は、図面とともに、以下の詳細な説明に鑑みて、さらに十分に理解されることになる。
【０００７】
図面に示す実施形態は、事実上、概略的且つ例示的であり、特許請求の範囲によって定義される発明の主題を限定するようには意図しない。例示的な実施形態の以下の詳細な説明を、同様の構造物は同様の参照符号によって示される以下の図面とともに読めば、理解することができる。
【図面の簡単な説明】
【０００８】
【図１】本明細書に記載され図示された１又は複数の実施形態による、モバイル機器、セルラーネットワーク、及び１又は複数のサーバに通信可能に接続された乗り物ナビゲーションシステムを概略的に表現する。
【図２】乗り物ナビゲーションシステムのディスプレイ上に提供された地図を概略的に表現しており、地図は、本明細書に記載され図示された１又は複数の実施形態によるモバイル機器から受信されたアプリケーションデータを表現するアイコンを含む。
【図３】図２に表現された地図を概略的に表現しており、アイコンが選択されており、選択されたアイコンに関連づけられた実在物に関する情報が、本明細書に記載され図示された１又は複数の実施形態によって表示される。
【図４】本明細書に記載され図示された１又は複数の実施形態による、図３に選択されたアイコンに関連づけられた実在物に関する付加的な詳細情報によって、図２に表現された地図を概略的に表現する。
【図５】本明細書に記載され図示された１又は複数の実施形態による乗り物ナビゲーションシステムのディスプレイ上に提示された地図オプションスクリーンを概略的に表現する。
【図６】本明細書に記載され図示された１又は複数の実施形態による乗り物ナビゲーションシステムのディスプレイ上に提示されたアプリケーションアイコンオプションスクリーンを概略的に表現する。
【図７】本明細書に記載され図示された１又は複数の実施形態による、互換性のあるアプリケーションの検出及び選択の処理を表現するフローチャートである。
【発明を実施するための形態】
【０００９】
本開示の実施形態は、乗り物ナビゲーションシステムなどのナビゲーションシステム及び方法を対象とし、携帯電話などのモバイル機器上で動作するアプリケーションによって生成又は提供される情報は、ナビゲーションシステムに送信され、ナビゲーションシステムのディスプレイ上に提示される地図上の地理的位置に表示される。例えば、モバイル機器上で動作するアプリケーションは、モバイル機器の近くにある実在物を判定し、このような実在物に関する情報を提供するように構成されてもよい。例えば、実在物は、レストランなどの近くの関心のある地点であってもよい。アプリケーションによって提供される情報は、レストランの名前、レストランの実際の住所、レストランによって給仕される特定の料理の価格範囲などを含んでもよい。本明細書に記載された実施形態において、様々なアプリケーションによって提供されるアプリケーションデータは、モバイル機器からナビゲーションシステムに通信され、実在物を表現するアイコンは、実在物の実際の住所に従って地図上の適切な位置に表示される。ユーザは、その後、実在物に関するさらなる詳細のために、及び選択された実在物に対するリクエスト指示などのさらなる措置を講じるために、アイコンを選択してもよい。以下に詳細に記載されるように、実施形態は、また、互換性のあるアプリケーションがモバイル機器上で作動することをナビゲーションシステムが検出するための機能、及び、ユーザがナビゲーションシステムのディスプレイ上に表示したいアプリケーションのアプリケーションデータをユーザ自身が選択するための機能を提供してもよい。
【００１０】
モバイル機器からアプリケーションデータを受信して表示することができるナビゲーションシステムだけでなく、モバイル機器から生じた情報をナビゲーションシステム上に提示する方法の様々な実施形態は、以下に詳細に記載される。
【００１１】
ここで図１を参照すると、ナビゲーションシステム１００の実施形態が概略的に表現される。ナビゲーションシステム１００が分離して表現されているが、ナビゲーションシステム１００が乗り物（図には表現されない）に連結されてもよいことに留意されたい。乗り物は、自動車又は他の乗用車若しくは非乗用車（例えば、陵上の乗り物、水上の乗り物、及び／又は空挺の乗り物）であってもよい。ナビゲーションシステムは、本明細書において乗り物ナビゲーションシステムと呼ばれるが、いくつかの実施形態において、例えばハンドヘルド型全地球測位システム（ＧＰＳ）ユニットなどのように、ナビゲーションシステムが乗り物に関連しなくてもよいことは理解されるべきである。
【００１２】
乗り物ナビゲーションシステム１００は、１又は複数のプロセッサ１０２を含んでもよい。１又は複数のプロセッサ１０２の各々は、機械読み取り可能命令を実行することができる何らかの装置であり得る。従って、１又は複数のプロセッサ１０２の各々は、コントローラ、集積回路、マイクロチップ、コンピュータ、又は他のコンピューティング装置であってもよい。１又は複数のプロセッサ１０２は、乗り物ナビゲーションシステム１００の様々なモジュール間の信号相互接続性を提供する通信経路１０４に連結されることができる。従って、通信経路１０４は、任意の数のプロセッサを互いに通信的に連結し、通信経路１０４に連結された乗り物ナビゲーションシステム１００のモジュールが分散コンピューティング環境において動作することを可能にすることができる。具体的には、モジュールの各々は、データを送信及び／又は受信することができるノードとして動作することができる。本明細書で用いられるように、用語「通信可能に接続された（communicatively coupled）」は、連結された構成要素が、互いに、例えば、導電媒体を経由した電気的信号、無線経由の電磁気信号、光学導波路を経由した光信号など、データ信号を交換することができることを意味する。
【００１３】
従って、通信経路１０４は、例えば、導電性ワイヤ、導電性トレース、光学導波路、又は同種のものなど、信号を伝送することができるあらゆるメディアから形成されることができる。さらに、通信経路１０４は、信号を伝送することができる媒体の組み合わせから形成されることができる。１つの実施形態において、通信経路１０４は、プロセッサ、メモリ、センサ、入力装置、出力装置、及び通信装置などの構成要素に対して電気的データ信号の伝送を可能にするように協働する導電性トレース、導電性ワイヤ、コネクタ、及びバスの組み合わせを備えることができる。従って、通信経路１０４は、例えば、ＬＩＮバス、ＣＡＮバス、ＶＡＮバスなどの車載バスを備えることができる。加えて、用語「信号（signal）」は、ＤＣ、ＡＣ、正弦波、三角波、矩形波、振動など、媒体を通じて伝わることができる波形（例えば、電気的、光学的、磁気的、機械的、又は電磁気的）を意味するということに留意されたい。
【００１４】
乗り物ナビゲーションシステム１００は、通信経路１０４に連結された１又は複数のメモリモジュール１０６を含んでもよい。１又は複数のメモリモジュール１０６は、１又は複数のプロセッサ１０２が機械読み取り可能命令をアクセスすることができるように機械読み取り可能命令を格納することができる、ＲＡＭ、ＲＯＭ、フラッシュメモリ、ハードドライブ、及び／又は何らかの装置として構成されてもよい。機械読み取り可能命令は、機械読み取り可能命令にコンパイル若しくはアセンブルされて１又は複数のメモリモジュール１０６上に格納され得る、例えば、プロセッサよって直接実行され得る機械語、又はアセンブリ言語、オブジェクト指向プログラミング（ＯＯＰ）、スクリプト言語、マイクロコードなどの、あらゆる世代（例えば、１ＧＬ、２ＧＬ、３ＧＬ、４ＧＬ、５ＧＬ）のあらゆるプログラミング言語に記述されたロジック又はアルゴリズム（複数可）を備えることができる。代替え的に、機械読み取り可能命令は、フィールドプログラマブルゲートアレイ（ＦＰＧＡ）構成若しくは特定用途向け集積回路（ＡＳＩＣ）のいずれかを介して実装されたロジックなどのハードウェア記述言語（ＨＤＬ）、又はそれらの等価物に記述されてもよい。従って、本明細書に記載された方法は、事前にプログラミングされたハードウェアエレメント、又はハードウェアコンポーネントとソフトウエアコンポーネントとの組み合わせとして、従来のあらゆるコンピュータプログラミング言語により実現されられてもよい。
【００１５】
さらに図１を参照すると、乗り物ナビゲーションシステム１００は、例えば、地図、ナビゲーション、エンターテインメント、情報、又はそれらの組み合わせなどの視覚的出力を提供するためのディスプレイ１０８を備える。ディスプレイ１０８は、通信経路１０４に連結されることができる。従って、通信経路１０４は、乗り物ナビゲーションシステム１００の他のモジュールに対して、ディスプレイ１０８を通信可能に接続することができる。ディスプレイ１０８は、例えば、ブラウン管、発光ダイオード、液晶ディスプレイ、プラズマディスプレイ表示装置、又は同種のものなど、光学的出力を伝送することができるあらゆる媒体を含むことができる。さらに、ディスプレイ１０８は、光学的情報を提供することに加えて、ディスプレイの表面上又はディスプレイ付近の触覚入力の存在及び位置を検出するタッチスクリーンになり得る。従って、各ディスプレイは、ディスプレイによって提供された光学的出力上の機械的入力を直接受信することができる。加えて、ディスプレイ１０８が、１又は複数のプロセッサ１０２及び１又は複数のメモリモジュール１０６のうちの少なくとも１つを含むことができることに留意されたい。
【００１６】
いくつかの実施形態において、乗り物ナビゲーションシステム１００は、また、通信経路１０４が乗り物ナビゲーションシステム１００の他のモジュールに対して触覚入力ハードウェア１１０を通信可能に接続するように、通信経路１０４に連結された触覚入力ハードウェア１１０を備えてもよい。触覚入力ハードウェア１１０は、機械的信号、光学的信号、又は電気的信号を、通信経路１０４により伝送することができるデータ信号に変換することができるあらゆる装置になり得る。具体的には、触覚入力ハードウェア１１０は、物理的運動を、通信経路１０４を通じて伝送することができるデータ信号に各々変換する、例えば、ボタン、スイッチ、ノブ、マイクロホン、又はその他同種のものなどの任意の数の移動オブジェクトを含むことができる。いくつかの実施形態において、ディスプレイ１０８及び触覚入力ハードウェア１１０は、単一のモジュールとして組み合わせて、オーディオヘッドユニット又は乗り物のインフォテイメントシステムとして動作することができる。但し、ディスプレイ１０８及び触覚入力ハードウェア１１０は、互いに分離され、通信経路１０４を介して信号を交換することによって単一のモジュールとして動作してもよいことに留意されたい。
【００１７】
乗り物ナビゲーションシステム１００は、また、通信経路１０４が乗り物ナビゲーションシステム１００の他のモジュールに対して周辺触覚入力１１２を通信可能に接続するように、通信経路１０４に連結された周辺触覚入力１１２を備えてもよい。例えば、１つの実施形態において、入力を受信するための補助的な位置を設けるために、周辺触覚入力１１２を、車載コンソール内に設置することができる。周辺触覚入力１１２は、触覚入力ハードウェア１１０と実質的に同様の方式で動作する（すなわち、周辺触覚入力１１２は、移動オブジェクトを含み、移動オブジェクトの運動を、通信経路１０４を通じて伝送することができるデータ信号に変換する）。例えば、周辺触覚入力１１２は、移動可能なジョイスティック又はノブとして構成されてもよい。
【００１８】
乗り物ナビゲーションシステム１００は、また、通信経路１０４が乗り物ナビゲーションシステム１００の他のモジュールに対して衛星モジュール１１４を通信可能に接続するように、通信経路１０４に連結された衛星モジュール１１４をさらに備えてもよい。衛星モジュール１１４は、全地球測位システム衛星から信号を受信するように構成される。具体的には、１つの実施形態において、衛星モジュール１１４は、全地球測位システム衛星によって伝送された電磁気信号と交信するアンテナとして機能する１又は複数の導電素子を含むことができる。受信信号は、例えば緯度及び経度などの衛星モジュール１１４の位置を示すデータ信号、又は１又は複数のプロセッサ１０２によって衛星モジュール１１４近くに位置決めされたオブジェクトに、変換することができる。受信信号は、例えば緯度及び経度などの衛星モジュール１１４の位置に対応して変換することができる。加えて、衛星モジュール１１４が、１又は複数のプロセッサ１０２及び１又は複数のメモリモジュール１０６のうちの少なくとも１つを含むことができることに留意されたい。
【００１９】
乗り物ナビゲーションシステム１００が乗り物に連結される実施形態において、１又は複数のプロセッサ１０２は、衛星モジュール１１４によって受信された信号を、道路データに対する乗り物の位置決めを示すデータに変換するために機械読み取り可能命令を実行することができる（すなわち、乗り物の位置を地図上に示すことができる）。道路データは、機械読み取り可能命令として１又は複数のメモリモジュール１０６内に格納されることができる。代替え的に又は加えて、道路データは、取り外し可能なデータモジュール１１６上に格納されることができる。具体的には、取り外し可能なデータモジュール１１６は、移動部材をもつソケットを介して、通信経路１０４に連結されることができる。移動部材は、取り外し可能なデータモジュール１１６に対して変動する量の力を加える状態の間に移行することができる。従って、取り外し可能なデータモジュール１１６は、光学的媒体、例えばＵＳＢ若しくはメモリカードなどのソリッドステートフラッシュメモリ、又はそれらの組み合わせになり得る。
【００２０】
乗り物ナビゲーションシステム１００は、モバイル機器１２０又はコンピュータネットワークに、乗り物ナビゲーションシステム１００を通信可能に接続ためのネットワークインタフェースハードウェア１１８を備えることができる。ネットワークインタフェースハードウェア１１８は、通信経路１０４が乗り物ナビゲーションシステム１００の他のモジュールに対してネットワークインタフェースハードウェア１１８を通信可能に接続するように、通信経路１０４に連結されることができる。ネットワークインタフェースハードウェア１１８は、無線ネットワークを介して、データを伝送及び／又は受信することができるあらゆる装置になり得る。従って、ネットワークインタフェースハードウェア１１８は、あらゆる無線通信規格に従って、データを送信及び／又は受信するための通信送受信器を含むことができる。例えば、ネットワークインタフェースハードウェア１１８は、例えば、Ｗｉ−Ｆｉ、ＷｉＭａｘ、Ｂｌｕｅｔｏｏｔｈ（登録商標）、ＩｒＤＡ、ワイヤレスＵＳＢ、Ｚ−Ｗａｖｅ、ＺｉｇＢｅｅ又は同種のものなどの無線コンピュータネットワークを通じて通信するための、例えば、アンテナ、プロセッサ、機械読み取り可能命令などのチップセットを含んでもよい。
【００２１】
以上に言及したように、乗り物ナビゲーションシステム１００は、通信的にネットワークインタフェースハードウェア１１８を介してモバイル機器１２０に連結することができる。以下にさらに詳細に記載されるように、モバイル機器上で動作する様々なアプリケーションからのアプリケーションデータは、ネットワークインタフェースハードウェアを介してモバイル機器１２０から乗り物ナビゲーションシステム１００に対して提供されてもよい。モバイル機器１２０は、ネットワークインタフェースハードウェア１１８及びセルラーネットワーク１２２に通信可能に接続するための、例えば、チップセット、プロセッサ、メモリなどのハードウェアを有するあらゆる装置になり得る。具体的には、モバイル機器１２０は、上記の無線コンピュータネットワークの１つ以上を通じて通信するためのアンテナを含むことができる。さらに、モバイル機器１２０は、セルラーネットワーク１２２と通信するためのモバイルアンテナを含むことができる。従って、モバイルアンテナは、例えば、１Ｇ、２Ｇ、３Ｇ、４Ｇ、５Ｇなどのあらゆる世代のモバイルの電気通信規格に従って、データを送信し、受信するように構成することができる。モバイル機器１２０の具体例は、スマートフォン、タブレット装置、電子書籍リーダ、ラップトップコンピュータ、又は同種のものを含むが、限定はされない。
【００２２】
セルラーネットワーク１２２は、概して、モバイル通信規格に従って、データを受信し伝送するように構成された複数の基地局を含む。基地局は、公衆交換電話網（ＰＳＴＮ）及びバックホールネットワークなどの有線システムを通じてデータを受信し伝送するようにさらに構成される。セルラーネットワーク１２２は、例えば、広域ネットワーク、都市内ネットワーク、インターネット、衛星ネットワーク、又は同種のものなどのバックホールネットワークを介してアクセス可能なあらゆるネットワークをさらに含むことができる。従って、基地局は、概して、様々な有線ネットワーク及び／又は無線ネットワークを通じてデータを交換するために機械読み取り可能命令を実行する１又は複数のアンテナ、送受信器、及びプロセッサを含む。
【００２３】
従って、セルラーネットワーク１２２は、１又は複数のサーバ（例えば、第１のサーバ１２４及び／又は第２のサーバ１２６）にアクセスするモバイル機器１２０によって無線アクセスポイントとして利用されることができる。第１のサーバ１２４及び第２のサーバ１２６は、概して、セルラーネットワーク１２２を介してリソースを配信するためのプロセッサ、メモリ、及びチップセットを含む。リソースは、例えばセルラーネットワーク１２２を介して、第１のサーバ１２４から及び／又は第２のサーバ１２６からの処理、ストレージ、ソフトウェア、及び情報を提供することを含むことができる。加えて、第１のサーバ１２４又は第２のサーバ１２６は、例えば、ネットワークの有線部分又はネットワークの無線部分、又はそれらの組み合わせを介して、セルラーネットワーク１２２を通じてリソースを互いに共有することができるということに留意されたい。
【００２４】
１又は複数のサーバは、モバイル機器１２０上で動作しているアプリケーションに関連するサードパーティサーバを含んでもよい。例えば、モバイル機器（例えばオープンテーブル）上で動作する第１のアプリケーションに関連するアプリケーションデータは、第１のアプリケーションを提供する機関によって運営される第１のサーバ１２４に格納されてもよいし、モバイル機器（例えばイエルプ）上で動作する第２のアプリケーションに関連するアプリケーションデータは、第２のアプリケーションを提供する機関によって運営される第２のサーバ１２６に格納されてもよい。モバイル機器１２０がセルラーネットワーク１２２経由で任意の数のサーバに通信的に連結されてもよいことは、理解されるべきである。
【００２５】
以下にさらに詳細に記載されるように、１又は複数のサーバは、乗り物ナビゲーションシステム１００を製造するか、さもなければ保全する機関（すなわち中間サーバ）に関連してもよい。例えば、中間サーバは、上記のように、アプリケーションを提供する機関に関連するサーバとのインタフェースを確立してもよい。様々なアプリケーションからのアプリケーションデータは、まず、セルラーネットワーク１２２の１又は複数のネットワークを通じて（例えばフォーマット又は適合性検証のために）中間サーバに対して提供され、その後、モバイル機器１２０に対して提供されてもよい。
【００２６】
ここで図２を参照すると、乗り物ナビゲーションシステム１００のディスプレイ１０８によって提示された例示的地図１３０が、概略的に図示される。地図１３０は、乗り物ナビゲーションシステム１００近くの地理的位置に関連する様々な道路を表示してもよい。地図１３０上に表示されたエリアのサイズ（すなわちスケール）は、ユーザが選択可能であってもよい。地図１３０によって表示された地理情報は、衛星モジュール１１４によって提供された情報の少なくともひとつに基づく。
【００２７】
例示的地図１３０は、第２の道路１３２ｂに交差する第１の道路１３２ａを含む。衛星モジュール１１４は、乗り物ナビゲーションシステム１００及び関連する乗り物の地理的位置を提供し、地理的位置は、その後、アイコン１３３によって地図１３０上に表示される。本明細書に記載され図示された実施形態が、あらゆるアイコンのフォーマット又はスタイルには限定されず、本明細書に記載されたあらゆるタイプのアイコンが、様々な情報を表現するために用いられてもよいということは、理解されるべきである。ユーザは、ユーザが選択した目的地までの方角を提供するように構成された実施形態における地図１３０上にルート１３４が強調表示されるように、前述の入力装置１０８、１１０、１１２のいずれか１つを介して目的地を選択してもよい。
【００２８】
例示的地図１３０は、ディスプレイ１０８内に配置された様々なソフトキーによって定義されるユーザインタフェースをさらに含む。ソフトキーは、ディスプレイ１０８上のタッチスクリーンを介して、及び／又は触覚入力ハードウェア１１０及び／又は周辺触覚入力１１２によって、作動されてもよい。ソフトキーは、任意の数のオプション又は情報の選択を提供してもよい。図示した実施形態において、ディスプレイ１０８上に提供されたユーザインタフェースの現在のスクリーン上のソフトキーは、ユーザが地図１３０上に表示される地理的範囲をズームアウトして拡大することを可能にするズームアウトボタン１４３と、ユーザが１又は複数の目的地を選択することを可能にするユーザインタフェースを生成する目的地ボタン１４４と、（以下にさらに詳細に記載されるように）ユーザが地図１３０の各種パラメータを変更することを可能にする地図オプションボタン１４５と、ユーザが地図１３０上に表示される地理的範囲をズームインして縮小することを可能にするズームインボタン１４６と、として構成される。
【００２９】
また、付加的な情報領域及びボタンが、例示的地図１３０のユーザインタフェースに設けられる。情報領域１４０は、衛星モジュール１１４によって検出されるように、乗り物が現在進行している方角を表示し、情報領域１４１は、地図１３０のスケール及び地理情報のソースに関連する情報を表示し、ボタン１４２は、ディスプレイ１０８内の交通情報を断続的に切り替えるためにユーザによって選択されてもよい。
【００３０】
上記のように、乗り物ナビゲーションシステム１００は、モバイル機器１２０に格納されるか、さもなければモバイル機器１２０上で動作する、様々なアプリケーションから、アプリケーションデータを受信するモバイル機器１２０と通信するように構成される。概して、アプリケーションデータは、１又は複数の実在物、及びそれら１又は複数の実在物の地理的位置を示してもよい。本明細書に記載された乗り物ナビゲーションシステム１００は、モバイル機器１２０からアプリケーションデータを受信し、１又は複数の実在物の地理的位置を判定し、地図１３０上の各実在物のためのアイコンを、地理的位置に対応する位置に配置する。
【００３１】
図２に表現された例において、モバイル機器上で動作する３つのアプリケーションは、乗り物ナビゲーションシステムに対してアプリケーションデータを提供しており、各アプリケーションのアプリケーションデータは、１つの実在物に対応する。第１のアプリケーションは、第１のアイコン１５０ａによって表現される第１の実在物に対応するアプリケーションデータを提供し、第２のアプリケーションは、第２のアイコン１５０ｂによって表現される第２の実在物に対応するアプリケーションデータを提供し、第３のアプリケーションは、第３のアイコンによって１５０ｃ表現される第３の実在物に対応するアプリケーションデータを提供している。限定ではなく例として、第１のアプリケーションは、イエルプであってもよいし、第１のアイコン１５０ａは、乗り物の近くに隣接する薬屋を表現してもよい。第２のアプリケーションは、オープンテーブルであってもよいし、第２のアイコン１５０ｂは、すぐ近くのレストランを表現してもよく、第３のアプリケーションは、Ｇａｓ Ｂｕｄｄｙであってもよいし、第３のアイコン１５０ｃは、すぐ近くのガソリンスタンドを表現してもよい。
【００３２】
アイコン１５０ａ〜１５０ｃは、関連するアプリケーションデータ内に提供されるそれらの地理的位置に従って地図１３０内に提示される。例えば、各実在物のためのアプリケーションデータは、乗り物ナビゲーションシステム１００が地図１３０上の適切な位置に実在物を表現するアイコンを提示するように、実在物の実際の住所及び／又はＧＰＳ座標を含んでもよい。
【００３３】
各アプリケーションは、図２の単一の実在物のためのアプリケーションデータを提供しているだけであるが、各アプリケーションが多くの個々の実在物を表現するアプリケーションデータを送信してもよいということは理解されるべきである。限定ではなく例として、Ｇａｓ Ｂｕｄｄｙアプリケーションは、任意の数のすぐ近くのガソリンスタンドに対応するアプリケーションデータを送信してもよいし、オープンテーブルは、任意の数のすぐ近くのレストランに対応するアプリケーションデータを送信してもよい。
【００３４】
図２（及び図３と図４）に表現されたアイコン１５０ａ〜１５０ｃが総称的であるということは、理解されるべきである。アイコンは、あらゆるサイズ、形状、又は色を有してもよい。いくつかの実施形態において、アイコン構成は、特定のアプリケーションに関連するアイコンを表現してもよい。
【００３５】
アプリケーションデータは、アプリケーション、モバイル機器１２０上のアプリケーションプログラムインターフェイス（ＡＰＩ）、又はナビゲーションシステム１００に関連するサードパーティによって、ディスプレイ１０８上で適切に表示されるようにフォーマットされてもよい。例えば、アイコンサイズは、関連する実在物の位置がユーザによって適切に識別され得るようなサイズであるべきである。アイコンがあまりにも大き過ぎると、ディスプレイ１０８上にあまりにも多くのスペースを占めてしまうかもしれず、アイコンによって表現される実在物の現在位置をユーザが判定するのが難しくなるかもしれない。アイコンのサイズは、また、ディスプレイ１０８のサイズ及び／又は解像度に応じてもよい。
【００３６】
いくつかの実施形態において、ＡＰＩは、モバイル機器１２０上で動作し、乗り物ナビゲーションシステム１００に対して様々なアプリケーションから受信された、フォーマットされたアプリケーションデータを提供する。従って、ＡＰＩは、モバイル機器１２０上で動作する様々なアプリケーションと通信する。他の実施形態において、サードパーティアプリケーションプロバイダは、モバイル機器１２０上で動作するアプリケーションに対して、乗り物ナビゲーションシステム１００上の表示のための適切なフォーマットのアプリケーションデータを直接提供してもよい。乗り物ナビゲーションシステム１００は、その後、このフォーマットされたアプリケーションデータをアプリケーションから直接受信してもよい。例えば、ユーザは、サードパーティアプリケーションプロバイダが、その後、乗り物ナビゲーションシステム１００のディスプレイ１０８上の表示のための適切なフォーマットでモバイル機器に対してアプリケーションデータを送信するように、様々なサードパーティアプリケーションプロバイダによる自身のアプリケーションを登録してもよい。さらに別の実施形態において、乗り物ナビゲーションシステム１００は、モバイル機器１２０上のアプリケーションから指示されたアプリケーションデータを受信し、その後、乗り物ナビゲーションシステム１００のディスプレイ１０８上の表示のためのデータをフォーマットしてもよい。
【００３７】
ここで図３を参照すると、１つの実施形態において、ユーザは、アイコン１５０ａ〜１５０ｃに関連するアプリケーションによって提供された実在物に関するさらなる情報を受信するために、地図上に表示されるアイコン１５０ａ〜１５０ｃを選択してもよい。図示した実施形態において、ユーザは、上記の入力装置のいずれか１つによってモバイル機器１２０上で動作する第２のアプリケーションに関連する第２のアイコン１５０ｂを、ユーザ入力によって、選択している。形状１５１は、第２のアイコン１５０ｂの（例えば、タッチスクリーン対応のディスプレイ１０８の表面に触れることによる）ユーザ選択を表現する。上記の非限定例に戻ると、第２のアイコン１５０ｂは、オープンテーブルによって判定されるようなレストランを表現してもよい。オープンテーブルアイコン１５０ｂの選択は、乗り物ナビゲーションシステム１００に、オープンテーブルアイコン１５０ｂに関連したレストランに関する情報を表示させる。図示する例において、レストランの名前は、ディスプレイ１０８の最上部において、実在物情報表示１６０の情報バー１６１内に表示される。実在物に関連する情報の表示の位置及びフォーマットに、実施形態が限定されないということは、理解されるべきである。
【００３８】
実在物情報表示１６０は、実在物に関連するアプリケーションデータに対応する実在物に関する付加的な情報をディスプレイ１０８に提供するために、図４に関して以下に記載される、さらなる情報ボタン１６２をさらに含んでもよい。アイコン１５０ａ〜１５０ｃの選択は、また、後の情報検索のためにアイコン１５０ａ〜１５０ｃに関連する、マークボタン１４９などの実在物をマークする付加的なソフトキーボタンを表示させてもよい。
【００３９】
実施形態は、また、選択されたアイコンの実在物に関する付加的で且つさらに詳細な情報の表示を提供してもよい。例として、さらなる情報ボタン１６２（又は同様のボタン）のユーザ選択は、実在物に関する付加的な詳細情報を、乗り物ナビゲーションシステム１００のディスプレイ１０８上に表示させてもよい。オープンテーブルアイコン１５０ｂに関連するレストランに関する、表示された付加的な詳細情報の例は、図４に概略的に表現される。図示した実施形態の付加的な詳細情報１６４は、地図１３０上に配置された詳細情報ウィンドウ１６３内に提供される。付加的な詳細情報１６４が、専用スクリーン上や地図１３０の異なる位置上など、他の形式及び構成で表示されてもよいということは、理解されるべきである。
【００４０】
詳細情報１６４は、実在物の名前（本例では「夫婦で経営するイタリアンレストラン及びショップ」（Ma and Pa's Italian Eatery and Shop））、実在物の実際の住所、及び実在物に関連する電話番号を含んでもよいが、限定はされない。ウェブサイトアドレス、Ｅメールアドレス、平均格付け（例えば、５段階のうちの４つ星）、及び特定の実在物に関する有用かもしれない他の情報などの付加的な情報も提供されてもよい。
【００４１】
いくつかの実施形態において、ディスプレイ１０８は、特定の実在物を呼び出すためにユーザが選択してもよい呼出ボタン１６５を提示してもよい。他の実施形態において、モバイル機器１２０の電話機能に、アクティブテキスト内に備えられた電話番号を呼び出させる、アクティブなテキストを電話番号が含むのであれば、ユーザは、電話番号を選択することによって実在物を呼び出してもよい。
【００４２】
図４にさらに表現されたスクリーンは、乗り物ナビゲーションシステム１００内の目的地として選択されたアイコンに関連する実在物の実際の住所を設定するボタン（例えば、実行ボタン（Go button）１６６）を含む。乗り物ナビゲーションシステム１００は、その後、実在物に対して方角を提供してもよい。ディスプレイ１０８は、また、前のスクリーン（例えば図３に表現されたスクリーン）にユーザを戻すために戻りボタン１６７を提示してもよい。
【００４３】
地図オプションボタン１４５（図２及び図３を参照）は、乗り物ナビゲーションシステム１００に、乗り物ナビゲーションシステム１００に関連する各種パラメータをユーザが設定することができる地図オプションユーザインタフェース１７０を表示させる。例示的地図オプションユーザインタフェース１７０は、複数のパラメータに関連する総括的な複数のオプションボタン１７２ａ〜１７２ｈを表現する。例えば、オプションボタン１７２ａ−１７２ｇの１つ以上は、付加的な情報を伴わない地図のみの表示、ディスプレイ１０８上に２枚の地図を提供することができるデュアル地図、進路変更リストなどの表示、及び同種のものなどによって、地図１３０をどのように提示するのかを指示してもよい。オプションボタン１７２ａ〜１７２ｇは、また、ユーザが関心のある地点を選択すること、最高制限速度を設定すること、交通情報オプションを設定すること、などを可能にしてもよい。
【００４４】
オプションボタン１７２ｈは、モバイル機器１２０によって提供されたアプリケーションデータの表示に関連するオプションを提供する。オプションボタン１７２ｈの選択は、乗り物ナビゲーションシステム１００に、ディスプレイ１０８上にアプリケーションアイコンオプションスクリーン１８０を表示させてもよい。図６は１つの実施形態による例示的なアプリケーションアイコンオプションスクリーン１８０を表現する。概して、図６に表現されたアプリケーションアイコンオプションスクリーン１８０は、ユーザがディスプレイ１０８にアイコン及び情報を提供することを望むアプリケーションや、ユーザ自身がフィルタリングしたいと望むアプリケーションを、ユーザ自身が選択することを可能にする。アプリケーションアイコンオプションスクリーン１８０は、乗り物ナビゲーションシステム１００に互換性のあるアプリケーションの互換性のあるアプリケーション名１８３ａ〜１８３ｆをリストアップするアプリケーション１８２のリストを備える。各互換性のあるアプリケーション名１８３ａ〜１８３ｆは、ユーザが特定の互換性のあるアプリケーションを選択又は解除することを可能にするチェックボックス又は他の選択機構を有する。互換性のあるアプリケーションの数がディスプレイ１０８上に提示され得る数よりも多いのなら、アプリケーション１８２のリストは、スクロールバー１８６をさらに含んでもよい。ユーザは、アプリケーション１８２のリストをナビゲートするためにバー１８８をスクロールしてもよいし、又は上向矢印１８７ａ若しくは下向矢印１８７ｂを用いてもよい。アプリケーション１８２のリストは、また、例えばディスプレイ１０８のタッチスクリーン上でユーザの指を用いてリストをフリックするなどのジェスチャによってナビゲートされてもよい。
【００４５】
図示する例において、ユーザは、フェイスブック１８３ａ、天気１８３ｂ、イエルプ１８３、オープンテーブル１８３ｄ、及びナショナルジオグラフィック（登録商標）−国立公園１８３ｆのアプリケーションを選択し、ツイッター１８３ｅのアプリケーションを解除している。従って、乗り物ナビゲーションシステム１００は、ユーザによって選択されているアプリケーションのみに関連するアプリケーションデータを表示してもよい。天気のアプリケーションやツイッターのアプリケーションなど、いくつかのアプリケーションが、実際の住所又は位置に関連する地理的位置情報を有しなくてもよいということに留意されたい。これらのアプリケーションに関連するアイコン及び／若しくはアプリケーションデータ、又はアプリケーションデータが実際の住所や位置を含まない他のアプリケーションは、例えばディスプレイ１０８の１又は複数のコーナーなどのディスプレイ１０８の１又は複数の領域に提示されてもよい。
【００４６】
ここで図７を参照すると、１つの実施形態による乗り物ナビゲーションシステム１００上の表示ために、モバイル機器１２０上で動作するアプリケーションが、どのように検出されてフィルタリングされるかに関するフローチャート２００が、表現される。ブロック２０１において、乗り物ナビゲーションシステム１００は、格納されたアプリケーションデータをモバイル機器１２０から受信してもよい。格納されたアプリケーションデータは、モバイル機器１２０上で動作している互換性のあるアプリケーション名を表現する。１つの実施形態において、格納されたアプリケーションデータは、モバイル機器１２０上のファイル内に格納される。別の実施形態において、格納されたアプリケーションデータは、モバイル機器１２０及び／又は乗り物ナビゲーションシステム１００によってアクセスされる遠隔サーバ上に格納される。格納されたアプリケーションデータは、ユーザが自身のモバイル機器１２０からアプリケーションを追加したり削除したりする際に、周期的に更新されてもよい。
【００４７】
乗り物ナビゲーションシステム１００が、どの互換性のあるアプリケーションがモバイル機器１２０上で動作しているのかを一旦認証すれば、乗り物ナビゲーションシステム１００は、ブロック２０２において、アプリケーションのリストを表示してもよい。例えば、アプリケーションのリストは、図６に表現されたアプリケーション１８２のリストとして構成されてもよく、ユーザは、様々な互換性のあるアプリケーションを選択又は解除してもよい。ブロック２０３において、乗り物ナビゲーションシステム１００は、乗り物ナビゲーションシステム１００上に情報を表示さしたとユーザが所望するアプリケーションに対応するアプリケーションの選択入力を受信する。ブロック２０４において、乗り物ナビゲーションシステム１００は、乗り物ナビゲーションシステム１００のディスプレイ１０８に互換性のあるフォーマットでフォーマットされたアプリケーションデータを受信する。以上に述べたように、いくつかの実施形態において、モバイル機器１２０上で動作するＡＰＩは、そのアプリケーションデータをフォーマットしてもよいし、又は、アプリケーションは、指示されたアプリケーションデータをフォーマットしてもよい（例えば、様々なアプリケーションのサードパーティサーバは、フォーマットされたアプリケーションデータを提供してもよい）。但し、他の実施形態において、乗り物ナビゲーションシステムは、ディスプレイ１０８上に提示するためにアプリケーションデータをフォーマットしてもよい。
【００４８】
ブロック２０５において、乗り物ナビゲーションシステム１００は、乗り物が進行するにつれて、様々な選択されたアプリケーションのアプリケーションデータに対応するアイコンを表示する。乗り物の近くに隣接する実在物を表現するアイコンのみが表示されてもよいため、乗り物が進行するにつれて、アイコンは変わることになる。
【００４９】
本開示の実施形態が、モバイル機器上で動作するアプリケーションが乗り物ナビゲーションシステムに対してアプリケーションデータを提供する乗り物ナビゲーションシステム及び方法を対象とするということは、まさに理解されるべきである。より具体的には、アプリケーションデータに関連する実在物を表現するアイコンは、実在物の実際の住所又は位置に対応する地図上の位置に表示される。限定ではなく例として、ナビゲーションシステムに対して通信的に連結されるモバイル機器上で動作するアプリケーションは、現在位置の近くにあるレストラン（他の庶業、機関、など）に関する情報を提供するようにプログラミングされてもよい。レストランに関するアプリケーションデータは、アイコンが近くのレストランの実際の住所に対応する乗り物ナビゲーションシステムの地図上の適切な位置に表示されるように、アプリケーションによって乗り物ナビゲーションシステムに対して提供されてもよい。このように、モバイル機器上で動作するアプリケーションによって提供される実在物に関連するアイコンは、乗り物ナビゲーションシステムの地図上に投入されてもよい。
【００５０】
特定の実施形態が本明細書に図示され記載されたが、様々な他の変更及び改良が、請求の範囲に記載される発明の主題の精神及び範囲から逸脱せずに、行なわれてもよいということは、理解されるべきである。さらに、請求の範囲に記載される発明の主題の様々な態様が、本明細書に記載されたが、このような態様を組み合わせて利用する必要はない。そのため、添付された請求項が、請求の範囲に記載の発明の主題の範囲内にある、このような変更及び改良をすべて網羅するように意図される。
【図１】
0006502847.tif 000002
【図２】
0006502847.tif 000003
【図３】
0006502847.tif 000004
【図４】
0006502847.tif 000005
【図５】
0006502847.tif 000006
【図６】
0006502847.tif 000007
【図７】
0006502847.tif 000008